(57)【要約】【課題】  上側散水部を回転させてもカウンターや洗面器台に衝突することがなく、それらの部材を傷付けたり破損させることのないシャワー装置を提供する。【解決手段】  複数の散水ノズル４，４を有し、下端が軸支され上下方向に回動可能なアーム３からなる上側散水部５と、上側散水部５よりも下方に設けられ、少なくとも１つの散水ノズル４，４を有し壁面Ｗに固定された下側散水部６とを備えたシャワー装置において、上側散水部５を下方に回動させた時に、該上側散水部５の下端部分が当接する下側散水部６の部位に、または、下側散水部６が当接する上側散水部５の下端部分の部位に、緩衝材９を取り付けて構成する。【選択図】        図３
2005253634.tif 000002
【特許請求の範囲】
【請求項１】
複数の散水ノズルを有し、下端が軸支され上下方向に回動可能なアームからなる上側散水部と、該上側散水部よりも下方に設けられ、少なくとも１つの散水ノズルを有し壁面に固定された下側散水部を備えたシャワー装置において、前記上側散水部を下方に回動させた時に、該上側散水部の下端部分が当接する下側散水部の部位に、または、下側散水部が当接する上側散水部の下端部分の部位に、緩衝材を取り付けたことを特徴とするシャワー装置。
【請求項２】
前記緩衝材が取り外し可能であることを特徴とする請求項１に記載のシャワー装置。
【請求項３】
前記緩衝材には、前記上側散水部が垂直に起立した状態で壁面側への倒れを防ぐ上ストッパー面が形成されていることを特徴とする請求項１または請求項２に記載のシャワー装置。
【発明の詳細な説明】
【技術分野】
【０００１】
本発明は、浴室に備えられ、全身にシャワーを浴びることのできるシャワー装置に関するものである。
【背景技術】
【０００２】
従来、浴室に備えられて全身にシャワーを浴びることのできるシャワー装置として、例えば特許文献１に開示されているようなシャワー装置が存在する。
【特許文献１】特開２００２−１１２９１２号公報
【発明の開示】
【発明が解決しようとする課題】
【０００３】
上記従来のようなシャワー装置にあっては、複数の散水ノズルを備えたアームが上下方向へ１８０°回転する構造となっているが、下方にカウンターや洗面器台などが付いた浴室に設置する場合には、アームを倒してゆくとカウンターや洗面器台に衝突してしまい、それらが破損したり傷付いたりする虞れがあった。
【課題を解決するための手段】
【０００４】
本発明は上記従来の問題点に鑑み案出したものであって、アームを倒してもカウンターや洗面器台に衝突することのないシャワー装置を提供せんとするものであり、請求項１は、複数の散水ノズルを有し、下端が軸支され上下方向に回動可能なアームからなる上側散水部と、該上側散水部よりも下方に設けられ、少なくとも１つの散水ノズルを有し壁面に固定された下側散水部を備えたシャワー装置において、前記上側散水部を下方に回動させた時に、該上側散水部の下端部分が当接する下側散水部の部位に、または、下側散水部が当接する上側散水部の下端部分の部位に、緩衝材を取り付けたことである。
また、請求項２は、前記緩衝材が取り外し可能であることである。
また、請求項３は、前記緩衝材には、前記上側散水部が垂直に起立した状態で壁側への倒れを防ぐ上ストッパー面が形成されていることである。
【発明の効果】
【０００５】
本発明は、上下方向に回動可能なアームからなる上側散水部と、壁面に固定された下側散水部を備え、上側散水部を下方に回動させた時に、上側散水部の下端部分が当接する下側散水部の部位に、または、下側散水部が当接する上側散水部の下端部分の部位に、緩衝材を取り付けたことにより、上側散水部を下方に回転させてゆくと緩衝材に当たって停止するため、上側散水部を回転させてもカウンターや洗面器台に衝突することがなく、そのため、それらの部材を傷付けたり破損させることがなく、また、アームも破損しにくいものとなる。
【０００６】
また、緩衝材が取り外し可能であることにより、緩衝材が汚れたり摩耗しても容易に取り替えることができるものとなる。
【０００７】
また、緩衝材には、上側散水部が垂直に起立した状態で壁側への倒れを防ぐ上ストッパー面が形成されていることにより、アームが垂直に起立した状態で上ストッパー面に当たって、それ以上、壁側へ倒れないため、見栄えが良く、壁に衝突することがないため、壁やアームを傷付けることがない。
【実施例】
【０００８】
以下、本発明の実施例を図面に基づいて説明する。
図１は、シャワー装置の斜視構成図であり、シャワー装置１は、上下方向に回動可能な左右のアーム３，３で構成される上側散水部５と、この上側散水部５よりも下方に延びた左右一対の下側散水部６で構成されており、上側散水部５及び下側散水部６には、複数の散水ノズル４，４，４が設けられている。また、上側散水部５と下側散水部６の接触する部位には、緩衝材９が設けられている。
【０００９】
図２は、上側散水部５のアーム３を壁面Ｗ側へ起立させた状態を示すものであり、この起立状態で、緩衝材９の上面にアーム３の下端が当接して、それ以上、壁面Ｗ側へ倒れないように設定されており、壁面Ｗが傷付くことがなく、垂直に見栄え良くアーム３を起立させておくことができる。
【００１０】
また、下方側へアーム３を回転させて使用する際には、図３に拡大図で示すように、緩衝材９の前面側にアーム３の下端が当接して、それ以上、下側へアーム３が回転しないように構成されている。
従って、シャワー装置１の下方に、図３に示すように、洗面器台１０やカウンターが設けられている場合においても、アーム３がカウンターや洗面器台１０に衝突することがなく、そのため洗面器台１０やカウンターを傷付けたり破損させることがなく、またアーム３の破損も良好に防ぐことができるように構成されている。
【００１１】
図４に拡大斜視図で示すものは、下側散水部６を構成するカバー部８の上部後方に緩衝材９を取り付けた状態を示すものである。
カバー部８の上側後部には、図５の分解斜視図で、また図６の縦断面拡大図で示すように、上面側の水平面８ａから、下方へ傾斜した捻り下傾面８ｂが形成され、この捻り下傾面８ｂの先端に断面Ｌ字状の上鉤片８ｄが形成されており、この上鉤片８ｄと対向状に、下方の傾斜面８ｃには、上方へ突出して立上片８ｅが形成され、傾斜面８ｃの立上片８ｅの下方には、係合穴８ｆが形成されている。
【００１２】
一方、このカバー部８に着脱できる緩衝材９は、上面に上ストッパー面９ｂが形成され、この上ストッパー面９ｂの前端から下傾状に前ストッパー面９ａが形成されており、裏側には、上鉤溝９ｃと、下向きの下向き溝９ｄが一体形成されている。
【００１３】
なお、図７には、緩衝材９を裏返して見た斜視図を示し、下向き溝９ｄの下方には、突出状に係止突片９ｅが形成されている。
この緩衝材９は、カバー部８の上鉤片８ｄに対し上鉤溝９ｃを整合させ、立上片８ｅに対し下向き溝９ｄを整合させて、横側からスライドさせて嵌め込んで取り付けできるものであり、緩衝材９の上鉤溝９ｃ内にカバー部８の上鉤片８ｄが嵌まり込み、緩衝材９の下向き溝９ｄ内にカバー部８の立上片８ｅが嵌まり込み、その状態でカバー部８の係合穴８ｆ内に緩衝材９の係止突片９ｅが嵌まり込んで固定されるものである。
【００１４】
なお、緩衝材９は、例えばゴム等で形成されており、使用により摩耗したり、カビ等で汚れたり、ヒビ割れ等が生じた場合には、容易にカバー部８から取り外して、新たな物に交換することができる。
【００１５】
緩衝材９を取り付けた状態では、前述したように、上側散水部５を構成するアーム３の下端が、緩衝材９の前ストッパー面９ａに当接し、図３に示すように、それ以上の下方側への回転を止めることができ、また、図２のように、アーム３を起立させた時には、アームの下端部が緩衝材９の上ストッパー面９ｂに当接して、それ以上、壁面Ｗ側へ倒れないように垂直状態を維持できるものである。
【００１６】
なお、本例では、緩衝材９は、下側散水部６を構成するカバー部８の上面側後部に設けられているため、前側から見た場合に、この緩衝材９は見えにくい位置にあり、目立ちにくいものとなり、アーム３を図３のように下方側へ回転させた時にも、アーム３の下端とカバー部８間に手や指が挟まれにくいものとなる。
なお、本例では、緩衝材９を下側散水部６を構成するカバー部８側に取り付けたものを例示しているが、この緩衝材９をアーム３の下端側に取り付けた構成としても良い。
【００１７】
また、さらには、図８及び図９に示すように、緩衝材９を、下側散水部６を構成するカバー部８の上面前部に着脱可能に設けても良く、この場合は、緩衝材９が前面側から見やすい位置にあり、そのため、アーム３を図９のように下方側へ回転させた時に、アーム３が緩衝材９に当たる位置が判りやすくなり、当たった状態では、それ以上アーム３は下方側への回転が止められるため、下方側に洗面器台１０やカウンターが存在しても衝突することがなく、それらを傷付けたり、アーム３が傷付くことが良好に防がれるものである。
【図面の簡単な説明】
【００１８】
【図１】シャワー装置の斜視構成図である。
【図２】シャワー装置の設置状態の側面構成図である。
【図３】シャワー装置のアームを下方側へ回転させて緩衝材に当接させた状態の側面拡大構成図である。
【図４】緩衝材を下側散水部を構成するカバー部に取り付けた状態の要部拡大斜視構成図である。
【図５】下側散水部を構成するカバー部と緩衝材の分解斜視図である。
【図６】カバー部の要部拡大縦断面構成図である。
【図７】緩衝材の裏側から見た斜視構成図である。
【図８】緩衝材をカバー部の上面前部に取り付けた別例のシャワー装置の側面構成図である。
【図９】図８の状態からアームを下方へ回転させて緩衝材に当接させた状態の側面構成図である。
【符号の説明】
【００１９】
１  シャワー装置
３  アーム
４  散水ノズル
５  上側散水部
６  下側散水部
８  カバー部
８ｄ  上鉤片
８ｅ  立上片
８ｆ  係合穴
９  緩衝材
９ａ  前ストッパー面
９ｂ  上ストッパー面
９ｃ  上鉤溝
９ｄ  下向き溝
９ｅ  係止突片
１０  洗面器台
【図１】
2005253634.tif 000003
【図２】
2005253634.tif 000004
【図３】
2005253634.tif 000005
【図４】
2005253634.tif 000006
【図５】
2005253634.tif 000007
【図６】
2005253634.tif 000008
【図７】
2005253634.tif 000009
【図８】
2005253634.tif 000010
【図９】
2005253634.tif 000011